(57)【特許請求の範囲】
【請求項１】
外周に浸透防止層が設けられた管部材どうしを接続する配管接続構造であって、
前記管部材どうしが管継手を介して融着により接続され、
前記管部材どうしを接続する管継手が、カバー部材により、外周にあそびを有して覆われ、
該カバー部材の端部が、各管部材の浸透防止層の端部外周に重複され、
重ねられた各浸透防止層の端部とカバー部材の端部とが、融着により一体化されたことを特徴とする配管接続構造。
【請求項２】
前記管部材は、前記浸透防止層を除去することにより露出された端部が、管継手に挿入された状態で管継手と一体に融着されることにより間接的に接続され、
前記カバー部材は、前記管継手全体を前記あそびを有して覆う大きさとされたことを特徴とする請求項１に記載の配管接続構造。
【請求項３】
前記浸透防止層の上には、該浸透防止層及び前記管部材を保護するための保護層が形成されていることを特徴とする請求項１又は２に記載の配管接続構造。
【請求項４】
外周に浸透防止層が設けられた管部材どうしを接続する配管接続方法であって、
前記管部材どうしを管継手を介して融着により接続し、
前記管部材どうしを接続した管継手を、カバー部材により、外周にあそびを有して覆い、
該カバー部材の端部を、各管部材の浸透防止層の端部外周に重複させ、
重ねられた各浸透防止層の端部とカバー部材の端部とを、融着により一体化することを特徴とする配管接続方法。
【発明の詳細な説明】
【技術分野】
【０００１】
本発明は、溶剤のような液体の浸透を防止するための浸透防止層が形成された管部材の配管接続構造及び配管接続方法に関する。
【背景技術】
【０００２】
従来、例えば水道管のように地中に埋設される管部材として、ポリオレフィンのように熱溶融性を有する樹脂からなる管部材が用いられている。このような管部材は、他のポリオレフィン製の管部材との融着接合が可能であるため、両管部材の接合部の水密性を確保することができるが、地中の土に含まれるガソリンのような有機溶剤が管部材の内部に浸透し易いという問題があった。そこで、管部材の外周面に、内部への溶剤の浸透を防止するための浸透防止層を形成することが提案されている（例えば、特許文献１参照。）。
【０００３】
この浸透防止層が形成された管部材同士を接続する際、各管部材の互いに突き合った端部を互いに接合する。このとき、溶剤が各管部材の浸透防止層間を経て各管部材内に浸入することを防止するために、管部材の互いに接合された両端部間に、該両端部を浸透防止層上から覆うカバー部材を設け、非浸透性を有する粘着テープによりカバー部材を各管部材にそれぞれの浸透防止層上から固定する。これにより、溶剤が各管部材の浸透防止層間を経て各管部材の内部に浸透することを抑制することができる。
【特許文献１】特開２００５−１２７４１９号（第４−５頁、図１）
【発明の開示】
【発明が解決しようとする課題】
【０００４】
しかしながら、カバー部材は各浸透防止層と一体化することなく各浸透防止層に粘着テープの粘着力により単に貼り付けられているため、埋設された各管部材を例えば地中で移動させたときにカバー部材と地中の土等との間に生じる摩擦力がカバー部材に該カバー部材を引っ張る引っ張り力として作用したとき、この引っ張り力により粘着テープが各浸透防止層又はカバー部材から剥離してしまい、各浸透防止層へのカバー部材の固定が解除されてしまう。このため、カバー部材と各浸透防止層との間を十分に封止することができず、溶剤のような液体がカバー部材と各浸透防止層との間を経て各管部材内に浸入する虞がある。
【０００５】
そこで、本発明の目的は、管部材内への液体の浸入を確実に防止することができる配管接続構造及び配管接続方法を提供することにある。
【課題を解決するための手段】
【０００６】
上記課題を解決するために、請求項１に記載の発明は、外周に浸透防止層が設けられた管部材どうしを接続する配管接続構造であって、前記管部材どうしが管継手を介して融着により接続され、前記管部材どうしを接続する管継手が、カバー部材により、外周にあそびを有して覆われ、該カバー部材の端部が、各管部材の浸透防止層の端部外周に重複され、重ねられた各浸透防止層の端部とカバー部材の端部とが、融着により一体化されたことを特徴とする。
請求項２に記載の発明は、上記において、前記管部材は、前記浸透防止層を除去することにより露出された端部が、管継手に挿入された状態で管継手と一体に融着されることにより間接的に接続され、前記カバー部材は、前記管継手全体を前記あそびを有して覆う大きさとされたことを特徴とする。
請求項３に記載の発明は、上記において、前記浸透防止層の上には、該浸透防止層及び前記管部材を保護するための保護層が形成されていることを特徴とする。
請求項４に記載の発明は、外周に浸透防止層が設けられた管部材どうしを接続する配管接続方法であって、前記管部材どうしを管継手を介して融着により接続し、前記管部材どうしを接続した管継手を、カバー部材により、外周にあそびを有して覆い、該カバー部材の端部を、各管部材の浸透防止層の端部外周に重複させ、重ねられた各浸透防止層の端部とカバー部材の端部とを、融着により一体化することを特徴とする。
【発明の効果】
【００１１】
請求項１に記載の発明によれば、互いに接続された各管部材の浸透防止層間を経て液体が各管部材内に浸入することを防止すべく該各管部材の互いに接合された両端部を覆い該両端部間を跨ぐように設けられたカバー部材が、各管部材の浸透防止層に融着されていることから、この融着により、カバー部材と各浸透防止層とを確実に一体化させることができる。これにより、例えば埋設された各管部材を地中で移動させたときにカバー部材と地中の土等との間に生じる摩擦力がカバー部材に該カバー部材を引っ張る引っ張り力として作用したときでも、従来のようにカバー部材を各浸透防止層に粘着テープにより固定した場合に比べて、この引っ張り力によりカバー部材が各浸透防止層から剥離することを、確実に抑制することができる。
【００１２】
従って、従来に比べてカバー部材と各浸透防止層との間をより確実に封止することができるので、管部材を地中に埋設したとき、地中の土に含まれる溶剤がカバー部材と各浸透防止層との間を経て各管部材内に浸入することを確実に防止することができる。
【００１３】
請求項２に記載の発明によれば、各管部材は、それぞれ浸透防止層が除去された端部が管継手に挿入されることにより該管継手を介して互いに接続されており、カバー部材が、管継手を覆うように設けられていることから、カバー部材の浸透防止機能により、液体がカバー部材と各浸透防止層との間を経て各管部材内に浸入することを防止することができることに加え、管継手が液体の浸透を防止する機能を有さない場合でも、管継手内に液体が浸透することを確実に防止することができる。これにより、液体が管継手内に浸透して該管継手内を経て各管部材内に浸入することを確実に防止することができる。
【００１４】
請求項３に記載の発明によれば、浸透防止層の上に、該浸透防止層及び管部材を保護するための保護層が形成されていることから、地中に埋設された管部材が地中の土に含まれる石等により損傷を受けることを確実に防止することができる。これにより、管部材を地中に埋設すべく地面に形成された埋設部内に管部材を配置した後に管部材を地中に埋める際、管部材を地中に埋めるための埋設土に、管部材及び浸透防止層に損傷を与える虞のある石等を除去した埋設専用の土を用いることなく、埋設部の形成時に掘り出された土をそのまま用いることができる。これにより、埋設専用の土を用いることによる施工コストの増大を確実に抑制することができる。
【００１６】
請求項５に記載の発明によれば、各管部材をそれぞれの端部で互いに接合し、各管部材の互いに接合された両端部間に、浸透防止層間を経て液体が管部材内に浸入することを防止すべく各管部材の両端部を覆うカバー部材を管部材の両端部間に跨ぐように配置し、該カバー部材を各浸透防止層に融着することにより、カバー部材と各浸透防止層とを確実に一体化させることができる。これにより、カバー部材と各浸透防止層との間が確実に封止されるので、液体がカバー部材と各浸透防止層との間を経て各管部材内に浸入することを確実に防止することができる。
【発明を実施するための最良の形態】
【００１７】
本発明を図示の実施例に沿って説明する。
【実施例】
【００１８】
図１は、地中で上水を案内するための管路を構成する複数の管部材１２を互いに接続する接続構造に、本発明に係る配管接続構造１０を適用した例を示す。
【００１９】
本発明に係る管部材１２は、図１に示す例では、円筒状をなしており、ポリエチレン及びポリプロピレン等のポリオレフィンのように、加熱されることにより容易に溶融可能な樹脂で形成されている。
【００２０】
各管部材１２の外周面１２ａには、それぞれ地中の土に含まれるガソリン等の有機溶剤が各管部材１２内に浸透することを防止するための浸透防止層１３が、外周面１２ａの全面に亘って形成されている。浸透防止層１３は、ポリオレフィンよりも溶剤の浸透性が低い材料からなり、図示の例では、従来よく知られたナイロンからなる。浸透防止層１３の厚さは、図示の例では、０．１〜０．２ｍｍに設定されている。
【００２１】
更に、各管部材１２の外周面１２ａには、図示の例では、地中に埋設された各管部材１２及び浸透防止層１３を地中の石等から保護するための保護層１４が、外周面１２ａの全面に亘って形成されている。保護層１４は、図示の例では、前記したポリオレフィンからなる。保護層１４に用いられるポリオレフィンには、例えば廃棄されたポリオレフィン管を溶融することにより生成された溶融樹脂を再利用することができる。
【００２２】
各管部材１２への浸透防止層１３及び保護層１４の形成は、例えば従来よく知られた射出成形や押出成形により行うことができる。
【００２３】
各管部材１２を互いに接続する方法を、図２及び図３に沿って説明する。図２及び図３は、各管部材１２が管継手１５を介して接続される例を示す。管継手１５は、図示の例では、各管部材１２と同様にポリオレフィンからなり、該各管部材１２の外径とほぼ等しい内径を有する円筒部材からなる。
【００２４】
各管部材１２を互いに接続する際、図２に示すように、各管部材１２の互いに向き合った端部１２ｂにおける浸透防止層１３及び保護層１４を、それぞれ専用のカッター１６によって各管部材１２の周方向に沿って切断し、除去することにより、各管部材１２の端部１２ｂにおける外周面１２ａをそれぞれ露出させる。更に、各管部材１２に形成された保護層１４を、先に切断した位置から各管部材１２の軸線方向へ所定の間隔をおいた位置で前記したカッター１６により各管部材１２の周方向に沿って更に切断し、除去することにより、各浸透防止層１３を部分的に露出させる。
【００２５】
次に、図３に示すように、各管部材１２の外周面１２ａが露出した端部１２ｂをそれぞれ管継手１５内に挿入し、各管部材１２の端部１２ｂにおける外周面１２ａと管継手１５とを例えば融着させることにより、管継手１５を介して各管部材１２の端部１２ｂを互い接合する。これにより、各管部材１２は、管継手１５を介して互いに接続される。
【００２６】
本発明に係る配管接続構造１０では、各管部材１２が地中に埋設された状態で、互いに接続された各管部材１２の浸透防止層１３間を経て各管部材１２内に前記した有機溶剤が浸入することを防止するためのカバー部材１７を備える。
【００２７】
カバー部材１７は、図示の例では、両端部１７ａが開放し、継ぎ目のないスリーブ状をなしており、浸透防止層１３と同様にナイロンで成形されている。カバー部材１７は、その内部に管継手１５をあそびをもって受け入れる大きさを有し、その軸方向長さ寸法は、少なくとも管継手１５を介して互いに接続された両管部材１２の浸透防止層１３の露出した部分を覆う大きさに設定されている。
【００２８】
このカバー部材１７を使用する際、各管部材１２を互いに接続する前に、接続される管部材１２にその外方からカバー部材１７を嵌め、各管部材１２の接続後、カバー部材１７の内部に管継手１５が包まれるようにカバー部材１７を管部材１２に沿って移動させ、図３に示すように、カバー部材１７の両端部１７ａが両管部材１２の浸透防止層１３の露出した部分を覆うように、カバー部材１７を各浸透防止層１３間に跨らせる。その後、カバー部材１７の両端部１７ａを、各浸透防止層１３に融着する。これにより、カバー部材１７が、各浸透防止層１３を介して各管部材１２に固定される。
【００２９】
この各浸透防止層１３へのカバー部材１７の融着には、図４に示すような融着装置１８が用いられる。
【００３０】
融着装置１８は、図示の例では、一対の半円筒部材１９と、該各半円筒部材の内周面１９ａに各半円筒部材１９の周方向に沿って設けられ、カバー部材１７及び各浸透防止層１３をそれぞれ溶融するための電熱線２０とを備える。
【００３１】
各半円筒部材１９は、それぞれ各管部材１２の外径とほぼ等しい内径を有する。各半円筒部材１９の軸線に沿った長さ寸法は、互いに等しく、少なくとも各管部材１２に形成された浸透防止層１３の露出した部分の幅寸法と等しい大きさに設定されている。各半円筒部材１９は、互いに共同して円筒を構成するようにそれぞれの内周面１９ａを対向させて配置され、互いに対向する端部のうち一方の端部１９ｂ間に各半円筒部材１９の軸線方向に沿って設けられた図示しない枢軸を介して枢動可能に互いに接続されている。
【００３２】
電熱線２０は、例えばニッケルクロムからなる金属線からなり、電熱線２０には、該電熱線に電力を供給するためのケーブル２１が接続されている。電熱線２０は、従来よく知られているように、ケーブル２１を経て電力が供給されることにより発熱する。
【００３３】
各浸透防止層１３へのカバー部材１７の融着時、図３に示すように、各管部材１２に形成された浸透防止層１３の露出した部分を覆うカバー部材１７の端部１７ａ上から、各管部材１２を挟み込むように各半円筒部材１９を配置する。この状態で、電熱線２０に通電することにより、カバー部材１７の端部１７ａ及び各浸透防止層１３をそれぞれ溶融する。これにより、カバー部材１７と各浸透防止層１３とを互いに一体化させる。その後、カバー部材１７の端部１７ａと各浸透防止層１３の溶融した部分とをそれぞれ固化させることにより、カバー部材１７の端部１７ａ及び各浸透防止層１３を互いに融着させる。
【００３４】
このように、互いに接続された各管部材１２の浸透防止層１３間を経て溶剤が各管部材１２に浸入することを防止すべく該各管部材の互いに接合された両端部１２ｂを覆い該両端部間に跨ぐように設けられたカバー部材１７が、各管部材１２の浸透防止層１３に融着されていることから、この融着により、カバー部材１７と各管部材１２に形成された浸透防止層１３とを確実に一体化させることができる。
【００３５】
これにより、埋設された各管部材１２を例えば地中で移動させたときにカバー部材１７と地中の土等との間に生じる摩擦力がカバー部材１７に該カバー部材を引っ張る引っ張り力として作用したときでも、従来のようにカバー部材１７を各管部材１２に形成された浸透防止層１３に図示しない粘着テープにより固定した場合に比べて、この引っ張り力によりカバー部材１７が各浸透防止層１３から剥離することを、確実に防止することができる。
【００３６】
従って、従来に比べてカバー部材１７と各浸透防止層１３との間をより確実に封止することができるので、各管部材１２を地中に埋設したとき、溶剤がカバー部材１７と各浸透防止層１３との間を経て各管部材１２内に浸入することを確実に防止することができる。
【００３７】
また、前記したように、各管部材１２は、それぞれ浸透防止層１３が除去された端部１２ｂが管継手１５に挿入されることにより該管継手１５を介して互いに接続されており、カバー部材１７が、管継手１５を覆うように設けられていることから、カバー部材１７の浸透防止機能により、溶剤がカバー部材１７と各浸透防止層１３との間を経て各管部材１２内に浸入することを防止することができることに加え、管継手１５が溶剤の浸透を防止する機能を有さない場合でも、管継手１５内に溶剤が浸透することを確実に防止することができる。これにより、溶剤が管継手１５内に浸透して該管継手内を経て各管部材１２内に浸入することを確実に防止することができる。
【００３８】
更に、前記したように、浸透防止層１３の上に、該浸透防止層１３及び管部材１２を保護するための保護層１４が形成されている。
【００３９】
従来、保護層１４が形成されていない各管部材１２を、地面に形成された図示しない埋設部内に配置した後、該各管部材を地中に埋める際、各管部材を地中に埋めるための埋設土に、前記埋設部の形成時に掘り出した土をそのまま用いると、地中の土に含まれる石等により管部材が損傷を受けてしまうため、管部材１２及び浸透防止層１３に損傷を与える虞のある石等を除去した埋設専用の土が用いられているが、施工コストの増大を招く。
【００４０】
これに対し、本実施例によれば、前記したように、浸透防止層１３の上に、該浸透防止層１３及び管部材１２を保護するための保護層１４が形成されていることから、地中に埋設された管部材１２が地中の土に含まれる石等により損傷を受けることを確実に防止することができる。これにより、埋設部内に配置された各管部材１２を地中に埋める際、各管部材１２を地中に埋めるための埋設土に、前記した埋設専用の土を用いることなく、前記埋設部の形成時に掘り出された土をそのまま用いることができる。これにより、埋設専用の土を用いることによる施工コストの増大を確実に抑制することができる。
【００４１】
また、前記したように、各浸透防止層１３へのカバー部材１７の融着時、各管部材１２を浸透防止層１３上でカバー部材１７上から挟み込むように配置された各半円筒部材１９の電熱線２０に通電することにより、カバー部材１７と各浸透防止層１３とを互いに容易に融着することができる。
【００４２】
本実施例では、各管部材１２が管継手１５を介して互いに接続された例を示したが、これに代えて、各管部材１２が、その端部１２ｂの端面を互いに融着するいわゆるバット融着により互いに接続される接続構造に本発明を適用することができる。
【００４３】
この場合、各管部材１２の外周面１２ａが露出した端部１２ｂを互いに融着し、各管部材１２の露出した浸透防止層１３間に跨るようにカバー部材１７を配置し、該カバー部材を各浸透防止層１３に融着装置１８により融着することができる。
【００４４】
また、本実施例では、カバー部材１７が継ぎ目のないスリーブ状をなした例を示したが、これに代えて、シート状のカバー部材を本発明に適用することができる。この場合、両管部材１２の露出した両浸透防止層１３上から各管部材１２の互いに接合された端部１２ｂ間を跨ぐように、シート状のカバー部材を両管部材１２に巻き付け、前記カバー部材の両端部を各浸透防止層１３に融着することができる。
【００４５】
更に、本実施例では、カバー部材１７がナイロンからなる例を示したが、これに代えて、溶剤の浸透を防止する機能を有する材料であれば、ナイロン以外の材料でカバー部材１７を形成することができる。
【００４６】
また、本実施例では、地中で上水を案内するための管路を構成する複数の管部材１２を互いに接続する接続構造に本発明を適用した例を示したが、これに代えて、例えば地中でガスを案内するための管路を構成する複数の管部材を互いに接続する接続構造に本発明を適用することができる。
【図面の簡単な説明】
【００４７】
【図１】本発明に係る管部材を概略的に示す横断面図である。
【図２】本発明に係る管部材に形成された浸透防止層及び保護層を部分的に切り取った状態を概略的に示す斜視図である。
【図３】本発明に係る管部材の接続状態を概略的に示す縦断面図である。
【図４】本発明に係る融着装置を概略的に示す斜視図である。
【符号の説明】
【００４８】
１０  配管接続構造
１２  管部材
１２ａ  外周面
１２ｂ  端部
１３  浸透防止層
１４  保護層
１５  管継手
１７  カバー部材
１８  融着装置
１９  半円筒部材
１９ａ  内周面
２０  電熱線
【図１】
0004653589.tif 000002
【図２】
0004653589.tif 000003
【図３】
0004653589.tif 000004
【図４】
0004653589.tif 000005